(57)【要約】【課題】簡単な構造で自立性を向上し、コストを削減できるとともに利便性を向上できる自立袋を提供する。【解決手段】各々内面側に熱接着層を有する積層フィルムにより構成される表側シート２、裏側シート３、及び底面シート４を、底面シート４を二つ折りにして表側シート２と裏側シート３の下部同士の間に挟み込み、シート周縁同士を熱接着して得た底ガセット形式の自立袋１であって、表側シート２及び裏側シート３の側縁を熱接着した側縁熱接着部８に、側縁熱接着部８の一面に対して凸で他面に対して凹となるエンボス部９が上下方向に延びて形成され、エンボス部９の上端部９ａは縁熱接着部８の上端よりも下方に配されている。【選択図】図１
2014210610.tif 000002
【特許請求の範囲】
【請求項１】
各々内面側に熱接着層を有する積層フィルムにより構成される表側シート、裏側シート、及び底面シートを備え、前記底面シートを二つ折りにして前記表側シートと裏側シートの下部同士の間に挟み込み、シート周縁同士を熱接着して得た底ガセット形式の自立袋であって、前記表側シート及び前記裏側シートの側縁を熱接着した側縁熱接着部に、前記側縁熱接着部の一面に対して凸で他面に対して凹となるエンボス部が上下方向に延びて形成され、前記エンボス部の上端部を前記側縁熱接着部の上端よりも下方に配したことを特徴とする自立袋。
【請求項２】
前記エンボス部の上端部の側面断面が上下方向に対して傾斜することを特徴とする請求項１に記載の自立袋。
【請求項３】
前記エンボス部の下端部を前記表側シート及び前記裏側シートに熱接着される前記底面シートの熱接着箇所よりも上方に配したことを特徴とする請求項１または２に記載の自立袋。
【請求項４】
前記エンボス部の下端部を前記表側シート及び前記裏側シートの上下方向中央位置よりも下方に配したことを特徴とする請求項３に記載の自立袋。
【請求項５】
前記底面シートの熱接着箇所の上端に対して上方に該上端から該熱接着箇所下端までの距離と同じ距離の範囲内に前記エンボス部の下端部を配したことを特徴とする請求項４に記載の自立袋。
【請求項６】
前記底面シートの熱接着箇所の上端に対して上方に該上端から該熱接着箇所下端までの距離と同じ距離の範囲外に前記エンボス部の下端部を配したことを特徴とする請求項４に記載の自立袋。
【請求項７】
上部の一方の角に注ぎ口を有し、前記エンボス部は前記注ぎ口が存在しない側の前記側縁熱接着部に設けられることを特徴とする請求項１〜請求項６のいずれかに記載の自立袋。
【請求項８】
前記エンボス部は、前記注ぎ口が存在する側の前記側縁熱接着部にも設けられることを特徴とする請求項７に記載の自立袋。
【発明の詳細な説明】
【技術分野】
【０００１】
本発明は底ガセット形式の自立袋に関する。
【背景技術】
【０００２】
底ガセット形式の自立袋（スタンディングパウチ）は、調味料、酒、洗剤等の液体の内容物の容器として広く使用されている。従来の自立袋は特許文献１に開示される。この自立袋は積層フィルムから成る表側シート、裏側シート及び底面シートを熱接着して形成される。
【０００３】
自立袋の底部は二つ折りして挟まれた底面シートの周縁がそれぞれ表側シート及び裏側シートに熱接着される。自立袋の底面シートよりも上方は表側シート及び裏側シートの対向する周縁部が熱接着され、上端部には注ぎ口を形成するスパウトが表側シートと裏側シートとの間に挟んで熱接着される。
【０００４】
自立袋の一方の側端部に形成した側縁熱接着部には上下方向に延びるエアバッグが設けられる。エアバッグは側縁熱接着部内に設けた非融着部内にエアバッグ入口から気体を充填した後、エアバッグ入口を融着封止して形成される。
【０００５】
自立袋は内容物の量が多いときはしっかりと自立しているが、内容物が減って厚みが薄くなると上部が折れ曲がり易くなる。特許文献１の自立袋は上下に延びるエアバッグを設けることにより、折れ曲がりを防止して自立性を向上させることができる。
【先行技術文献】
【特許文献】
【０００６】
【特許文献１】特許第４６８３８９９号公報（第９頁〜第１４頁、第１図）
【発明の概要】
【発明が解決しようとする課題】
【０００７】
しかしながら、上記特許文献１の自立袋によると、エアバッグに気体を充填する工程や、気体が抜けないように注意を払いながらエアバッグ入口を融着封止する工程が必要となる。このため、自立袋の製造工程が複雑になり、自立袋のコストが大きくなる問題があった。
【０００８】
また、内容物を使い切って自立袋を廃棄する際に、エアバッグ内に気体が残存すると折り畳みにくい。このため、刃物等によりエアバッグを切断して気体を抜いてから折り畳んで廃棄する必要があり、自立袋の利便性が悪い問題があった。
【０００９】
本発明は、簡単な構造で自立性を向上し、コストを削減できるとともに利便性を向上できる自立袋を提供することを目的とする。
【課題を解決するための手段】
【００１０】
上記目的を達成するために本発明は、各々内面側に熱接着層を有する積層フィルムにより構成される表側シート、裏側シート、及び底面シートを備え、前記底面シートを二つ折りにして前記表側シートと裏側シートの下部同士の間に挟み込み、シート周縁同士を熱接着して得た底ガセット形式の自立袋であって、前記表側シート及び前記裏側シートの側縁を熱接着した側縁熱接着部に、前記側縁熱接着部の一面に対して凸で他面に対して凹となるエンボス部が上下方向に延びて形成され、前記エンボス部の上端部を前記側縁熱接着部の上端よりも下方に配したことを特徴としている。
【００１１】
この構成によると、エンボス部によって側縁熱接着部の剛性が向上し、自立袋の自立性が向上する。また、内容物充填後にエンボス部を避けて表側シートと裏側シートの上縁が熱接着される。
【００１２】
また本発明は上記構成の自立袋において、前記エンボス部の上端部の側面断面が上下方向に対して傾斜することを特徴としている。この構成によると、エンボス部を容易に成型することができる。また、内容物を充填する際にエンボス部の上端部が周囲の物体に引っ掛かることが少なく、自立袋の供給をスムーズに行うことができる。
【００１３】
また本発明は上記構成の自立袋において、前記エンボス部の下端部を前記表側シート及び前記裏側シートに熱接着される前記底面シートの熱接着箇所よりも上方に配したことを特徴としている。この構成によると、４枚の積層フィルムが重なる底部を避けてエンボス加工が施される。
【００１４】
また本発明は上記構成の自立袋において、前記エンボス部の下端部を前記表側シート及び前記裏側シートの上下方向中央位置よりも下方に配したことを特徴としている。この構成によると、内容物を使い切った自立袋がエンボス部の下端部を避けて二つ折りして廃棄される。
【００１５】
また本発明は上記構成の自立袋において、前記底面シートの熱接着箇所の上端に対して上方に該上端から該熱接着箇所下端までの距離と同じ距離の範囲内に前記エンボス部の下端部を配したことを特徴としている。この構成によると、内容物を使い切った自立袋が底面シートの熱接着箇所の上端で折り曲げられ、エンボス部の下端部を避けて再度折り曲げて廃棄される。
【００１６】
また本発明は上記構成の自立袋において、前記底面シートの熱接着箇所の上端に対して上方に該上端から該熱接着箇所下端までの距離と同じ距離の範囲外に前記エンボス部の下端部を配したことを特徴としている。この構成によると、内容物を使い切った自立袋が底面シートの熱接着箇所の上端で折り曲げられ、エンボス部の下端部を避けて再度折り曲げて廃棄される。
【００１７】
また本発明は上記構成の自立袋において、上部の一方の角に注ぎ口を有し、前記エンボス部は前記注ぎ口が存在しない側の前記側縁熱接着部に設けられることを特徴としている。この構成によると、エンボス部を手指でつまんで持ち上げると、注ぎ口が自然に下を向いて内容物が注がれる。
【００１８】
また本発明は上記構成の自立袋において、前記エンボス部は、前記注ぎ口が存在する側の前記側縁熱接着部にも設けられることを特徴としている。この構成によると、注ぎ口近傍の剛性が高まり、内容物を注ぐときに注ぎ口の向きが安定し、注ぎ易くなる。また、両側縁のエンボス部を両方の手指でつまんで、自立袋をしっかりと把持することができる。
【発明の効果】
【００１９】
本発明によると、上下方向に延びるエンボス部を側縁熱接着部に設けたので、自立袋の側縁の剛性が向上する。これにより、自立性の高い自立袋を簡単な構造及び工程で形成することができ、自立袋のコストを削減することができる。また、自立袋を廃棄する際に容易に折り畳むことができるとともに、エンボス部に手指を掛けて容易に自立袋を把持して内容物を注ぐことができる。従って、自立袋の利便性を向上することができる。加えて、エンボス部の上端部が側縁熱接着部の上端よりも下方に配されるため、自立袋のデザイン性が損なわれず、エンボス部を避けて表側シートと裏側シートの上縁を熱接着して外観不良や熱接着不良を防止することができる。
【図面の簡単な説明】
【００２０】
【図１】本発明の第１実施形態に係る自立袋の斜視図である。
【図２】図１の自立袋の垂直断面図である。
【図３】図１の自立袋が空であるときの正面図である。
【図４】自立袋の構成材料である積層フィルムの断面図である。
【図５】図３のＡ−Ａ線を断面箇所とする部分垂直断面図である。
【図６】図３のＢ−Ｂ線を断面箇所とする部分水平断面図である。
【図７】自立袋のエンボス部の異なる態様を示す、図５と同様の部分垂直断面図である。
【図８】自立袋のエンボス部の異なる態様を示す、図６と同様の部分水平断面図である。
【図９】本発明の第２実施形態に係る自立袋の、空状態での正面図である。
【図１０】本発明の第３実施形態に係る自立袋の、空状態での正面図である。
【発明を実施するための形態】
【００２１】
以下に図面を参照して本発明の実施形態を説明する。図１、図２、図３は第１実施形態の自立袋の斜視図、垂直断面図及び正面図を示している。自立袋１は積層フィルムから成る表側シート２、裏側シート３及び底面シート４を有している。表側シート２、裏側シート３及び底面シート４は、シート周縁同士を熱接着することにより底ガセット形式の自立袋１とされるものであり、表側シート２及び裏側シート３によって自立袋１の胴部が形成され、底面シート４によって自立袋１の底面が形成される。
【００２２】
表側シート２及び裏側シート３は上縁部同士が熱接着されて上縁熱接着部１２となり、また側縁部同士が熱接着されて側縁熱接着部７、８となる。底面シート４は図３の水平な点線Ｃの下方に後述する熱接着層３５（図４参照）が外側を向くように二つ折りされ、表側シート２の下部と裏側シート３の下部の間に挟み込まれる。底面シート４の周縁は表側シート２及び裏側シート３に熱接着されて底部熱接着部１３となる。これにより、自立可能な底ガセット形式の自立袋１が形成される。
【００２３】
表側シート２及び裏側シート３には図１において左上の角にあたる箇所に隅切り部５が形成される。隅切り部５は合成樹脂製のスパウトを挟み込む形で熱接着され、スパウトによって内容物を注ぐ注ぎ口６が形成される。注ぎ口６は表側シート２及び裏側シート３に熱接着される本体部６ａと、本体部６ａに着脱可能に取り付けられるねじ式のキャップ６ｂにより構成される。
【００２４】
表側シート２、裏側シート３、及び底面シート４はいずれも積層フィルムにより構成される。図４に積層フィルムの構成例を示す。積層フィルム３０は外被層３１と熱接着層３５を積層したものである。外被層３１の表層はポリエチレンテレフタレート（ＰＥＴ）フィルム３２であり、その裏面側にアルミニウム箔３３と延伸ナイロンフィルム３４が積層されている。
【００２５】
ポリエチレンテレフタレートフィルム３２は印刷基材としての機能と熱接着時の耐熱性を付与する機能を有し、例えば厚さ１２μｍのものが用いられる。ポリエチレンテレフタレートフィルム３２の裏面には商品名などの標章、説明文、それらの背景となる図柄等が印刷され、この印刷層にアルミニウム箔３３が接着剤で接着される。
【００２６】
アルミニウム箔３３は酸素や水蒸気の侵入を防止するものであり、例えば厚さ９μｍのものが用いられる。アルミニウム箔３３の裏面に接着剤で接着される延伸ナイロンフィルム３４は自立袋１の耐突き刺し性を高めるためのものであり、例えば厚さ１５μｍのものが用いられる。
【００２７】
外被層３１の裏面に接着剤で接着される熱接着層３５は、自立袋１の内面側となるものであり、例えば厚さ１００μｍのポリエチレン（ＰＥ）フィルムにより構成される。熱接着層３５同士を合わせて加熱・加圧することで積層フィルム同士の熱接着が行われる。なお、積層フィルム３０の上記構成は一例であり、発明を限定するものではない。
【００２８】
上記のように構成された自立袋１は、注ぎ口６が存在する側の側縁と存在しない側の側縁に側縁熱接着部７、８を有する。側縁熱接着部７、８は２枚の積層フィルムが一体化された箇所であるから剛性が高い。注ぎ口６が存在しない側の側縁熱接着部８にはエンボス部９が形成される。また、注ぎ口６が存在する側の側縁熱接着部７の上部にはエンボス部１０が形成される。
【００２９】
図５及び図６は図３のＡ−Ａ断面図及びＢ−Ｂ断面図であり、エンボス部９の垂直断面及び水平断面を示している。尚、エンボス部１０も同様に形成される。エンボス部９はエンボス加工によって側縁熱接着部８の一面に対して凸で他面に対して凹に形成される。エンボス部９の突出高さは例えば、３ｍｍ以上に形成される。
【００３０】
エンボス部９の水平断面は半円形で、上端部９ａ及び下端部９ｂは半球状に形成される。このため、上端部９ａ及び下端部９ｂは側面断面が上下方向に対して傾斜した曲面の傾斜面になっている。これにより、エンボス部９を容易に成型することができる。また、自立袋１に内容物を充填する際に、自立袋１が空の状態で多数積み上げられて１枚ずつ引き出して供給される。この時、上端部９ａ及び下端部９ｂが周囲の物体に引っ掛かることが少なく、自立袋１の供給をスムーズに行うことができる。
【００３１】
尚、エンボス部９の形状は図５、図６に示す形状に限定されるものではない。例えば、図７及び図８の垂直断面図及び水平断面図に示すように、エンボス部９を水平断面が三角形で上端部９ａ及び下端部９ｂは四角錐（ピラミッド形状）を半分にしたような形状にしてもよい。また、これ以外の形状も可能である。
【００３２】
エンボス部９、１０は上下方向に連続して直線状に延び、側縁熱接着部７、８の剛性をさらに高めることができる。これにより、自立袋１の自立性が向上する。また、自立袋１を廃棄する際に従来のようにエアバッグを切断する必要がなく、容易に折り畳んで廃棄することができる。
【００３３】
エンボス部９の上端部９ａは側縁熱接着部８の上端よりも下方に配され、上縁熱接着部１２の下端よりも下方に配される。これにより、自立袋１を上方向から見たときにエンボス部９の断面形状が目に入らず、自立袋１のデザイン性が損なわれない。また、自立袋１内に内容物を充填した後に、エンボス部９を避けて表側シート２と裏側シート３の上縁を熱接着することができる。従って、皺の発生による外観不良や熱接着不良を防止することができる。
【００３４】
また、凹凸形状のエンボス部９に手指を引っかけて把手のように用いることも可能である。これにより、自立袋１をしっかりと把持し、自立袋１が手指の間から滑り落ちるといった事態を回避することができる。
【００３５】
エンボス部９の下端部９ｂは底面シート４の熱接着箇所である底部熱接着部１３よりも上方に配される。底部熱接着部１３は表側シート２、二つ折りになった底面シート４及び裏側シート３の計４枚の積層フィルムが重なる。このため、底部熱接着部１３上にエンボス加工を行うと、大きな力を必要とするとともに加工精度が悪くなる。従って、エンボス部９の下端部９ｂを底面シート４の熱接着箇所よりも上方に配し、容易にエンボス部９を形成することができる。
【００３６】
また、エンボス部９の下端部９ｂは表側シート２及び裏側シート３の上下方向中央位置（図３に一点鎖線Ｍで示す）よりも下方に配される。更に、底部熱接着部１３の上端から下端までの距離をＤ（図３参照）とし、エンボス部９の下端部９ｂは底部熱接着部１３の上端（点線Ｃ）に対して上方に距離Ｄの範囲内に設けられる。
【００３７】
エンボス部９の下端部９ｂは凹凸形状によって三方が立ち上がるため折り曲げにくい。このため、エンボス部９の下端部９ｂを上下方向中央位置Ｍよりも下方に配することにより、下端部９ｂを回避して自立袋１を容易に二つ折りすることができる。従って、内容物を使い切った自立袋１を容易に折り畳んで廃棄することができる。
【００３８】
また、自立袋１は底部熱接着部１３の上端（点線Ｃ）よりも下方で４枚の積層フィルムが重ねられ、上方で２枚の積層フィルムが重ねられる。このため、積層フィルムの段差によって底部熱接着部１３の上端で自立袋１を折り曲げ易くなっている。この時、エンボス部９の下端部９ｂを底部熱接着部１３の上端（点線Ｃ）から距離Ｄの範囲内に設けることにより、底部熱接着部１３の上端で折り曲げた底部を更に折り曲げる際に下端部９ｂを回避することができる。従って、自立袋１を容易に多重に折り畳んで廃棄することができる。
【００３９】
本実施形態によると、上下方向に延びるエンボス部９を側縁熱接着部８に設けたので、自立袋１の側縁の剛性が向上する。これにより、自立性の高い自立袋１を簡単な構造及び工程で形成することができ、自立袋１のコストを削減することができる。また、自立袋１を廃棄する際に容易に折り畳むことができるとともに、エンボス部９に手指を掛けて容易に自立袋１を把持して内容物を注ぐことができる。従って、自立袋１の利便性を向上することができる。
【００４０】
加えて、エンボス部９の上端部９ａが側縁熱接着部８の上端よりも下方に配されるため、自立袋１のデザイン性が損なわれず、エンボス部９を避けて表側シート２と裏側シート３の上縁を熱接着して外観不良や熱接着不良を防止することができる。
【００４１】
また、エンボス部９の下端部９ｂを底面シート４の熱接着箇所である底部熱接着部１３よりも上方に配したので、４枚の積層フィルムが重ねられる底部熱接着部１３を避けて容易にエンボス部９を形成することができる。
【００４２】
また、エンボス部９の下端部９ｂを底部熱接着部１３の上端（点線Ｃ）から上方に距離Ｄの範囲内に配したので、底部熱接着部１３の上端で折り曲げた底部を更に折り曲げる際に下端部９ｂを回避することができる。従って、自立袋１を容易に多重に折り畳んで廃棄することができる。
【００４３】
また、エンボス部９の上端部９ａの側面断面が上下方向に対して傾斜するので、エンボス部９を容易に成型することができる。また、内容物を充填する際に上端部９ａが周囲の物体に引っ掛かることが少なく、自立袋１の供給をスムーズに行うことができる。
【００４４】
また、自立袋１の上部の一方の角に注ぎ口６を有し、エンボス部９は注ぎ口６が存在しない側の側縁熱接着部８に設けられる。このため、エンボス部９に手指を掛けると注ぎ口６が自然に下を向き、液体の内容物を容易に注ぎ口６から注ぐことができる。
【００４５】
側縁熱接着部７の側にもエンボス部１０が存在することにより、注ぎ口６近傍の剛性が高まる。このため、内容物を注ぐときに注ぎ口６の向きが安定し、注ぎ易くなる。また、
一方の手指でエンボス部９をつまんだとき、他方の手指でエンボス部１０をつまんで、自立袋１をしっかりと把持することができる。
【００４６】
本実施形態において、エンボス部９、１０はいずれも直線状に上下に延びるが、波形に形成してもよい。また、エンボス部９、１０に太い箇所と細い箇所を交互に設けること等により、上下方向においても手指の引っかかりが生じるようにしてもよい。また、複数のエンボス部９を平行に設けてもよく、複数のエンボス部１０を平行に設けてもよい。
【００４７】
また、表側シート２と裏側シート３は、１枚の積層フィルムを二つ折りにして構成することもできる。また、注ぎ口６を別部品で構成するのでなく、自立袋１の一部を切り取ったり、あるいは切れ目や裂け目を入れることで注ぎ口を形成する構成であってもよい。
【００４８】
図９に本発明の第２実施形態に係る自立袋１を示す。第２実施形態の自立袋１が第１実施形態の自立袋１と異なるのは、エンボス部９の下端部９ｂの位置である。すなわち第２実施形態の自立袋１では、エンボス部９の下端部９ｂが、表側シート２及び裏側シート３の上下方向中央位置Ｍよりも下方であって、しかも、底面シート４の熱接着箇所の上端に対して上方に、該上端から熱接着箇所下端までの距離Ｄと同じ距離、という範囲を外れた位置に配される。すなわちエンボス部９の下端部９ｂは、底部熱接着部１３の上端（点線Ｃ）から上方に距離Ｄだけ離れた箇所と、上下方向中央位置Ｍの間に配される。
【００４９】
第２実施形態の構成でも、底部熱接着部１３の上端で折り曲げた底部を更に折り曲げる際に下端部９ｂを回避することができ、自立袋１を容易に多重に折り畳んで廃棄することができる。
【００５０】
図１０に本発明の第３実施形態を示す。第３実施形態の自立袋１が第１実施形態の自立袋１とも第２実施形態の自立袋１とも異なるのは、やはりエンボス部９の下端９ｂの位置である。すなわち第３実施形態の自立袋１では、エンボス部９の下端部９ｂが、底部熱接着部１３に入り込んだ位置に配されている。エンボス部９の形成に用いられる動力源にはより強大なパワーを発揮することが求められるものの、自立袋１を廃棄する際は、点線Ｃより上の箇所で一度折り曲げてしまえばそれ以後の多重折り畳みは容易である。
【００５１】
以上、本発明の実施形態につき説明したが、本発明の範囲はこれに限定されるものではなく、発明の主旨を逸脱しない範囲で種々の変更を加えて実施することができる。
【産業上の利用可能性】
【００５２】
本発明は、底ガセット形式の自立袋に広く利用可能である。
【符号の説明】
【００５３】
１    自立袋
２    表側シート
３    裏側シート
４    底面シート
６    注ぎ口
７、８    側縁熱接着部
９、１０  エンボス部
９ａ  上端部
９ｂ  下端部
１２    上縁熱接着部
１３    底部熱接着部
【図１】
2014210610.tif 000003
【図２】
2014210610.tif 000004
【図３】
2014210610.tif 000005
【図４】
2014210610.tif 000006
【図５】
2014210610.tif 000007
【図６】
2014210610.tif 000008
【図７】
2014210610.tif 000009
【図８】
2014210610.tif 000010
【図９】
2014210610.tif 000011
【図１０】
2014210610.tif 000012